(57)【要約】【課題】流体噴射ヘッドを支持する支持部の向きを精度よくターゲットの搬送方向に合わせることが可能な流体噴射ヘッド支持装置、流体噴射ユニット、及び流体噴射装置を提供する。【解決手段】記録ヘッド支持装置１６は、上流側から下流側に向かって搬送されるカット用紙にインクを噴射するための複数の記録ヘッド１５を支持する支持部１７と、該支持部１７の右側面及び左側面にそれぞれ２つずつ左右方向に沿って延設されたアーム部１８とを備えている。各アーム部１８には、支持部１７を位置決め状態で固定可能な位置決め孔１９がそれぞれ設けられている。【選択図】図２
2009262471.tif 000002
【特許請求の範囲】
【請求項１】
上流側から下流側に向かって搬送されるターゲットに流体を噴射するための流体噴射ヘッ
ドを支持する支持部と、
前記ターゲットの搬送方向における前記支持部の一端側及び他端側にそれぞれ少なくと
も１つずつ前記ターゲットの搬送方向に沿って延設されたアーム部と
を備え、
前記各アーム部には、前記支持部を位置決め状態で固定可能な複数の位置決め部がそれ
ぞれ設けられていることを特徴とする流体噴射ヘッド支持装置。
【請求項２】
前記支持部の一端側に設けられた前記アーム部と前記支持部の他端側に設けられた前記ア
ーム部とは、前記ターゲットの搬送方向において互いに対応した位置関係を有しているこ
とを特徴とする請求項１に記載の流体噴射ヘッド支持装置。
【請求項３】
前記各位置決め部は前記各アーム部の先端部に位置していることを特徴とする請求項１ま
たは請求項２に記載の流体噴射ヘッド支持装置。
【請求項４】
前記流体噴射ヘッドと、請求項１〜請求項３のうちいずれか一項に記載の流体噴射ヘッド
支持装置とを備えたことを特徴とする流体噴射ユニット。
【請求項５】
前記ターゲットを搬送する搬送手段と、請求項４に記載の流体噴射ユニットとを備えたこ
とを特徴とする流体噴射装置。
【発明の詳細な説明】
【技術分野】
【０００１】
本発明は、例えば、インクジェット式プリンタなどの流体噴射装置、該流体噴射装置に
備えられる流体噴射ユニット、及び該流体噴射ユニットに備えられる流体噴射ヘッド支持
装置に関する。
【背景技術】
【０００２】
一般に、流体噴射ヘッドから流体を噴射する画像形成装置（流体噴射装置）の一種とし
て、ラインヘッド方式のインクジェット式プリンタ（以下、単に「プリンタ」という。）
が知られている（例えば、特許文献１参照）。この特許文献１のプリンタでは、ヘッドフ
レーム（流体噴射ヘッド支持装置）に支持されたインクヘッド（流体噴射ヘッド）からベ
ルトプラテン（搬送手段）によって搬送される枚葉紙（ターゲット）にインク（流体）を
噴射することで、該枚葉紙に画像を形成するようになっている。
【０００３】
そして、特許文献１のプリンタでは、ヘッドフレームが、枚葉紙の搬送方向における下
流側端部及び枚葉紙の搬送方向と直交する方向における両端部に設けられた３つの固定部
（アーム部）において装置本体フレームにねじで締め付け固定されている。
【特許文献１】特開２００６−２１２９２７号公報
【発明の開示】
【発明が解決しようとする課題】
【０００４】
ところで、例えば、特許文献１のプリンタにおいて、組立時に、３つの固定部のうちの
いずれか１つを支点としてヘッドフレームを回動させることで、ヘッドフレームの向きを
ベルトプラテンが枚葉紙を搬送する方向に合わせようとした場合には、各固定部間の距離
が短いため、ヘッドフレームの回動半径を十分に確保することができない。このため、ヘ
ッドフレームの向きをベルトプラテンが枚葉紙を搬送する方向に精度よく合わせることが
困難であった。
【０００５】
本発明は、このような従来技術に存在する問題点に着目してなされたものであり、その
目的は、流体噴射ヘッドを支持する支持部の向きを精度よくターゲットの搬送方向に合わ
せることが可能な流体噴射ヘッド支持装置、流体噴射ユニット、及び流体噴射装置を提供
することにある。
【課題を解決するための手段】
【０００６】
上記目的を達成するために、本発明の流体噴射ヘッド支持装置は、上流側から下流側に
向かって搬送されるターゲットに流体を噴射するための流体噴射ヘッドを支持する支持部
と、前記ターゲットの搬送方向における前記支持部の一端側及び他端側にそれぞれ少なく
とも１つずつ前記ターゲットの搬送方向に沿って延設されたアーム部とを備え、前記各ア
ーム部には、前記支持部を位置決め状態で固定可能な複数の位置決め部がそれぞれ設けら
れている。
【０００７】
この構成によれば、ターゲットの搬送方向における支持部を挟んだ各位置決め部間の距
離を十分に稼ぐことができる。すなわち、各位置決め部のうちのいずれか１つを中心とし
て支持部を回動させて該支持部の向きをターゲットの搬送方向に合わせようとした場合に
、支持部の回動半径を十分に確保することができる。したがって、流体噴射ヘッドを支持
する支持部の向きを精度よくターゲットの搬送方向に合わせることが可能となる。
【０００８】
本発明の流体噴射ヘッド支持装置において、前記支持部の一端側に設けられた前記アー
ム部と前記支持部の他端側に設けられた前記アーム部とは、前記ターゲットの搬送方向に
おいて互いに対応した位置関係を有している。
【０００９】
この構成によれば、支持部をバランスよく安定した状態で位置決めすることが可能とな
る。
本発明の流体噴射ヘッド支持装置において、前記各位置決め部は前記各アーム部の先端
部に位置している。
【００１０】
この構成によれば、各位置決め部のうちのいずれか１つを中心として支持部を回動させ
ることで該支持部の向きをターゲットの搬送方向に合わせようとした場合における支持部
の回動半径をより一層大きくすることが可能となる。
【００１１】
本発明の流体噴射ユニットは、前記流体噴射ヘッドと、上記構成の流体噴射ヘッド支持
装置とを備えた。
この構成によれば、上記と同様の作用効果を得ることが可能となる。
【００１２】
本発明の流体噴射装置は、前記ターゲットを搬送する搬送手段と、上記構成の流体噴射
ユニットとを備えた。
この構成によれば、上記と同様の作用効果を得ることが可能となる。
【発明を実施するための最良の形態】
【００１３】
以下、本発明の流体噴射装置をインクジェット式プリンタに具体化した一実施形態を図
面に基づいて説明する。なお、以下の説明において、「前後方向」、「左右方向」、「上
下方向」をいう場合は図１及び図２に矢印で示す前後方向、左右方向、上下方向をそれぞ
れ示すものとする。
【００１４】
図１に示すように、流体噴射装置としてのインクジェット式プリンタ１１は、図示しな
い本体フレーム内に、ターゲットとしてのカット用紙１２を搬送するための搬送手段とし
ての搬送ユニット１３と、該搬送ユニット１３の上方に該搬送ユニット１３と対向するよ
うに配設された流体噴射ユニットとしての記録ヘッドユニット１４とを備えている。
【００１５】
図１及び図２に示すように、記録ヘッドユニット１４は、複数の流体噴射ヘッドとして
の記録ヘッド１５と、該各記録ヘッド１５を支持する流体噴射ヘッド支持装置としての記
録ヘッド支持装置１６とを備えている。記録ヘッド支持装置１６は左右方向に長い矩形板
状をなす支持部１７を備えており、該支持部１７の左右両側面における前端及び後端には
左右方向に長い矩形板状のアーム部１８が左右方向に沿ってそれぞれ延設されている。す
なわち、本実施形態では、支持部１７に４つのアーム部１８が設けられている。
【００１６】
そして、支持部１７の左側面に設けられた２つのアーム部１８と支持部１７の右側面に
設けられた２つのアーム部１８とは、左右方向においてそれぞれ互いに対応した位置関係
を有している。したがって、記録ヘッド支持装置１６は左右対称になっている。また、記
録ヘッド支持装置１６は、支持部１７の厚さと各アーム部１８の厚さとが同じになってお
り、支持部１７の上下両面と各アーム部１８の上下両面とはそれぞれ互いに面一になって
いる。
【００１７】
各アーム部１８の先端部には、支持部１７を図示しないボルト及びナットによって位置
決め状態で本体フレーム（図示略）に固定可能な位置決め部としての位置決め孔１９がそ
れぞれ形成されている。各アーム部１８のうち支持部１７の左後部に位置するアーム部１
８に形成された位置決め孔１９には本体フレーム（図示略）に立設されたピン２０が挿通
されており、該ピン２０を中心として記録ヘッド支持装置１６が回動可能になっている。
【００１８】
図２に示すように、各アーム部１８のうち支持部１７の右前部に位置するアーム部１８
の前隣の位置及び各アーム部１８のうち支持部１７の右後部に位置するアーム部１８の後
隣の位置には前側マイクロメータヘッド３０及び後側マイクロメータヘッド３１がそれぞ
れ配置されている。両マイクロメータヘッド３０，３１はそれぞれ本体フレーム（図示略
）に固定されている。
【００１９】
そして、前側マイクロメータヘッド３０を、該前側マイクロメータヘッド３０が支持部
１７の右前部に位置するアーム部１８を後方側へ押圧するように操作することで、ピン２
０を中心として記録ヘッド支持装置１６が平面視で反時計方向に回動されるようになって
いる。一方、後側マイクロメータヘッド３１を、該後側マイクロメータヘッド３１が支持
部１７の右後部に位置するアーム部１８を前方側へ押圧するように操作することで、ピン
２０を中心として記録ヘッド支持装置１６が平面視で時計方向に回動されるようになって
いる。
【００２０】
図２に示すように、支持部１７には、複数（本実施形態では２２個）の記録ヘッド１５
が互いに離間した状態で支持されている。２２個の記録ヘッド１５は１１個の記録ヘッド
１５を前後方向に沿って千鳥状をなすように規則的に２列に配列してなる記録ヘッド列２
１を２組形成しており、該両記録ヘッド列２１は左右方向に所定間隔を置いて平行に並ん
でいる。両記録ヘッド列２１は前後方向における幅がカット用紙１２の幅よりも長くなっ
ており、両記録ヘッド列２１における各記録ヘッド１５同士は左右方向から投影した際に
それぞれ部分的に重なっている。
【００２１】
そして、図１に示すように、各記録ヘッド１５には図示しないインクカートリッジから
それぞれインクが供給されるようになっており、該インクを各記録ヘッド１５の下面に設
けられた図示しないノズルから搬送ユニット１３によって搬送されるカット用紙１２に対
してそれぞれ噴射することで印刷が行われるようになっている。
【００２２】
また、図１に示すように、搬送ユニット１３は左右方向に長い矩形板状のプラテン２２
を備えている。プラテン２２の右側には前後方向に延びる駆動ローラ２３が駆動モータ２
４によって回転駆動可能に配置される一方、プラテン２２の左側には前後方向に延びる従
動ローラ２５が回転可能に配置されている。さらに、プラテン２２の下側には前後方向に
延びるテンションローラ２６が回転可能に配置されている。
【００２３】
駆動ローラ２３、従動ローラ２５、及びテンションローラ２６には、プラテン２２を囲
むように、多数の貫通孔を有する無端状の搬送ベルト２７が巻き回されている。この場合
、テンションローラ２６は、図示しないばね部材によって下側に向かって付勢されており
、搬送ベルト２７にテンションを付与することで該搬送ベルト２７の弛みを抑制するよう
になっている。
【００２４】
そして、駆動ローラ２３を前側から見て時計方向に回転駆動することで、搬送ベルト２
７が駆動ローラ２３、テンションローラ２６、及び従動ローラ２５の外側を前側から見て
時計方向に周回移動されるようになっている。この場合、搬送ベルト２７の内側の面はプ
ラテン２２の上面を左側から右側に向かって摺動するとともに、搬送ベルト２７上のカッ
ト用紙１２は上流側である左側から下流側である右側に向かって搬送されるようになって
いる。
【００２５】
また、プラテン２２の上面と対向する位置にあるカット用紙１２は、図示しない吸引手
段によって搬送ベルト２７越しにプラテン２２側に吸引されるようになっている。すなわ
ち、プラテン２２の上面と対向する位置にあるカット用紙１２は、プラテン２２により搬
送ベルト２７を介して支持されるようになっている。
【００２６】
また、従動ローラ２５の左斜め上側には、未印刷の複数のカット用紙１２を１枚ずつ順
次搬送ベルト２７上に給紙するための上下一対の給紙ローラ２８が設けられている。一方
、駆動ローラ２３の右斜め上側には、印刷後のカット用紙１２を１枚ずつ搬送ベルト２７
上から排紙するための上下一対の排紙ローラ２９が設けられている。
【００２７】
次に、記録ヘッド支持装置１６の向きをカット用紙１２の搬送方向である左右方向に合
わせる際の作用について説明する。
さて、インクジェット式プリンタ１１の本体フレーム（図示略）に記録ヘッド支持装置
１６を組み付けた際に、該記録ヘッド支持装置１６が水平面内において左右方向に対して
ピン２０を中心として時計方向に傾いている場合には、前側マイクロメータヘッド３０を
操作して、記録ヘッド支持装置１６を、ピン２０を中心として反時計方向に回動する。こ
のとき、後側マイクロメータヘッド３１はピン２０を中心とした記録ヘッド支持装置１６
の反時計方向への回動を妨げないように操作される。
【００２８】
そして、水平面内における左右方向に対する記録ヘッド支持装置１６の傾きが０になっ
た位置で前側マイクロメータヘッド３０の操作を止め、各アーム部１８にそれぞれ形成さ
れた位置決め孔１９のうちピン２０が挿通されていない３つの位置決め孔１９においてそ
れぞれの各アーム部１８を本体フレーム（図示略）に図示しないボルト及びナットによっ
て締め付けて固定すればよい。
【００２９】
一方、インクジェット式プリンタ１１の本体フレーム（図示略）に記録ヘッド支持装置
１６を組み付けた際に、該記録ヘッド支持装置１６が水平面内において左右方向に対して
ピン２０を中心として反時計方向に傾いている場合には、後側マイクロメータヘッド３１
を操作して、記録ヘッド支持装置１６を、ピン２０を中心として時計方向に回動する。こ
のとき、前側マイクロメータヘッド３０はピン２０を中心とした記録ヘッド支持装置１６
の時計方向への回動を妨げないように操作される。
【００３０】
そして、水平面内における左右方向に対する記録ヘッド支持装置１６の傾きが０になっ
た位置で後側マイクロメータヘッド３１の操作を止め、各アーム部１８にそれぞれ形成さ
れた位置決め孔１９のうちピン２０が挿通されていない３つの位置決め孔１９においてそ
れぞれの各アーム部１８を本体フレーム（図示略）に図示しないボルト及びナットによっ
て締め付けて固定すればよい。
【００３１】
このように、本実施形態の記録ヘッド支持装置１６は、支持部１７の左右両側面に各ア
ーム部１８が左右方向に沿って延設されるとともに該各アーム部１８にそれぞれ位置決め
孔１９が形成されている。このため、記録ヘッド支持装置１６の回動中心となるピン２０
が挿通された位置決め孔１９と、支持部１７の右後部に位置するアーム部１８に形成され
た位置決め孔１９との距離、すなわち記録ヘッド支持装置１６（支持部１７）の回動半径
が十分に長くなる。したがって、記録ヘッド支持装置１６（支持部１７）の回動方向に対
する傾きの調整を精密に行うことが可能となり、記録ヘッド支持装置１６（支持部１７）
の向きを精度よく左右方向に合わせることが可能となる。
【００３２】
この結果、各記録ヘッド列２１の延びる方向（前後方向）とカット用紙１２の搬送方向
（左右方向）とを精度よく直交させることができるので、カット用紙１２の印刷精度を向
上することができる。
【００３３】
以上詳述した実施形態によれば、以下の効果を得ることができる。
（１）記録ヘッド支持装置１６は、支持部１７の左右両側面に各アーム部１８が左右方
向に沿って延設されるとともに該各アーム部１８にそれぞれ位置決め孔１９が形成されて
いるため、左右方向（カット用紙１２の搬送方向）における支持部１７を挟んだ各位置決
め孔１９間の距離を十分に稼ぐことができる。すなわち、ピン２０を中心として記録ヘッ
ド支持装置１６（支持部１７）を回動させて該記録ヘッド支持装置１６（支持部１７）の
向きを左右方向に合わせようとした場合に、記録ヘッド支持装置１６（支持部１７）の回
動半径を十分に確保することができる。したがって、記録ヘッド支持装置１６（支持部１
７）の回動方向に対する傾きの調整を精密に行うことができ、記録ヘッド支持装置１６（
支持部１７）の向きを精度よく左右方向に合わせることができる。
【００３４】
（２）支持部１７の右側面に延設された各アーム部１８と支持部１７の左側面に延設さ
れた各アーム部１８とは、左右方向（カット用紙１２の搬送方向）において互いに対応し
た位置関係を有しており、記録ヘッド支持装置１６は左右対称になっている。このため、
記録ヘッド支持装置１６（支持部１７）をバランスよく安定した状態で本体フレーム（図
示略）に対して位置決めすることができる。
【００３５】
（３）記録ヘッド支持装置１６の各位置決め孔１９は各アーム部１８の先端部に位置し
ているため、ピン２０を中心として記録ヘッド支持装置１６（支持部１７）を回動させて
該記録ヘッド支持装置１６（支持部１７）の向きを左右方向に合わせようとした場合に、
記録ヘッド支持装置１６（支持部１７）の回動半径をより一層大きくすることができる。
したがって、記録ヘッド支持装置１６（支持部１７）の回動方向に対する傾きの調整をよ
り一層精密に行うことができ、記録ヘッド支持装置１６（支持部１７）の向きをより一層
精度よく左右方向に合わせることができる。
（変更例）
なお、上記実施形態は以下のように変更してもよい。
【００３６】
・支持部１７の左右両側面に少なくとも１つずつのアーム部１８が延設されていれば、
アーム部１８の数は任意でよい。
・支持部１７の左側面に延設されるアーム部１８の数と支持部１７の右側面に延設され
るアーム部１８の数とは、必ずしも一致させる必要はない。
【００３７】
・支持部１７の左側面に延設されるアーム部１８と支持部１７の右側面に延設されるア
ーム部１８とは、左右方向において必ずしも互いに対応した位置関係を有している必要は
ない。
【００３８】
・アーム部１８の形状は、棒状であってもよい。
・位置決め孔１９をアーム部１８の基端部や中央部に形成してもよい。
・支持部１７と各アーム部１８とは一体に形成してもよい。
【００３９】
・記録ヘッド支持装置１６の回動中心となるピン２０は、各アーム部１８のうち支持部
１７の左後部に位置するアーム部１８に形成された位置決め孔１９以外の各位置決め孔１
９のうちのいずれか１つに挿通されるように構成してもよい。
【００４０】
・搬送ベルト２７を省略してもよい。この場合、ターゲットにはカット用紙１２ではな
く長尺のロール紙が用いられる。そして、このロール紙は、搬送ユニット１３の左側から
繰り出され、プラテン２２上で支持されて印刷された後、搬送ユニット１３の右側で巻き
取られる。
【００４１】
・上記実施形態では、流体噴射装置をインクジェット式プリンタ１１に具体化したが、
インク以外の他の液体（機能材料の粒子が液体に分散又は混合されてなる液状体、ゲルの
ような流状体を含む）を噴射する液体噴射装置に具体化してもよい。そして、本明細書に
おける「液体」には、例えば、無機溶剤、有機溶剤、溶液、液状樹脂、液状金属（金属融
液）等を含むほか、液状体、流状体などが含まれる。
【図面の簡単な説明】
【００４２】
【図１】実施形態のインクジェット式プリンタの正面図。
【図２】同プリンタの記録ヘッドユニットの平面図。
【符号の説明】
【００４３】
１１…流体噴射装置としてのインクジェット式プリンタ、１２…ターゲットとしてのカ
ット用紙、１３…搬送手段としての搬送ユニット、１４…流体噴射ユニットとしての記録
ヘッドユニット、１５…流体噴射ヘッドとしての記録ヘッド、１６…流体噴射ヘッド支持
装置としての記録ヘッド支持装置、１７…支持部、１８…アーム部、１９…位置決め部と
しての位置決め孔。
【図１】
2009262471.tif 000003
【図２】
2009262471.tif 000004